(57)【要約】【課題】一対のケース体における防塵性を向上させることができる光学装置を提供する。【解決手段】蓋部２２に形成された開口部２２２がハウジング２１に設けられた立設壁２１２によって閉塞されるとともに、溝部２２３とリブ２１６とが嵌合する。それにより、開口部２２２の周囲と立設壁２１２との間において埃等が通過するための経路が長くなる。従って、防塵性を向上させることができる。【選択図】図４
2016090666.tif 000002
【特許請求の範囲】
【請求項１】
光を反射または透過する光学部品と、該光学部品を収容する一対のケース体と、を備えた光学装置であって、
前記一対のケース体は、前記光学部品の角度または位置を調節するための調節操作部が設けられた第一ケース体と、該調節操作部を外部に露出させる開口部が形成された第二ケース体と、で構成され、
前記第一ケース体には、前記調節操作部の周囲において突出した突起部が形成され、
前記第二ケース体には、前記突起部に嵌合可能な溝部が形成され、
前記突起部が前記溝部と嵌合することによって、前記調節操作部が外部に露出した状態で前記開口部が閉塞されることを特徴とする光学装置。
【請求項２】
前記光学部品は、ミラーまたはレンズを有して構成されることを特徴とする請求項１に記載の光学装置。
【請求項３】
前記一対のケース体の一方には、前記開口部の近傍に凹部が形成され、他方には、前記凹部に進入して当該凹部の内面に当接可能な凸部が形成されていることを特徴とする請求項１又は２に記載の光学装置。
【請求項４】
前記凸部において、前記一対のケース体の対向方向に交差する方向における端縁に、該対向方向に対して傾斜した傾斜部が形成されていることを特徴とする請求項３に記載の光学装置。
【請求項５】
前記突起部において、前記一対のケース体の対向方向に交差する方向における端縁に、該対向方向に対して傾斜した傾斜部が形成されていることを特徴とする請求項１〜４のいずれか１項に記載の光学装置。
【請求項６】
前記調節操作部は、外部に露出した操作面を有し、
前記一対のケース体には、前記操作面と隣接する位置において該操作面に沿って延びる隣接面部が設けられていることを特徴とする請求項１〜５のいずれか１項に記載の光学装置。
【請求項７】
光源部と、偏向装置と、ビーム成形部と、請求項１〜６のいずれか１項に記載された光学装置と、を備えることを特徴とする光走査装置。
【請求項８】
請求項７に記載された光走査装置と、感光体と、を備えることを特徴とする画像形成装置。
【発明の詳細な説明】
【技術分野】
【０００１】
本発明は、光学装置、光走査装置、及び、画像形成装置に関する。
【背景技術】
【０００２】
従来、画像形成装置として、光走査装置（光学装置）と、感光体ドラム（感光体）と、を備え、光走査装置によって照射された光ビームによって感光体ドラムに静電潜像が形成されるものが知られている。
【０００３】
このような光走査装置として、ハウジング及びカバー（一対のケース体）の内側に光源ユニットやコリメートレンズ、アパーチャ、シリンドリカルレンズ、偏向部材、ミラー、走査レンズ等が収容されたものが提案されている（例えば、特許文献１）。特許文献１に記載された光走査装置では、コリメートレンズとアパーチャとがハウジングに設けられ、これらの間の空間を外側から覆うための遮光部がカバーに設けられている。それにより、カバー組み付け前のハウジングにおいてコリメートレンズを容易に位置調節できるようになっている。
【発明の概要】
【発明が解決しようとする課題】
【０００４】
ところで、特許文献１に記載されたような光走査装置では、ハウジングにカバーを取り付けた後に光路の調節が必要となることがある。そこで、例えばミラー（光学部品）の角度を調節可能な調節操作部を設け、この調節操作部をハウジング及びカバーの外側から操作可能なように露出させる構成が考えられる。
【０００５】
しかしながら、このような構成では、ハウジング及びカバーに収容された光学系を埃等から保護するために、調節操作部の周囲にシール部材を設ける必要があり、部品点数が増加するとともに、シール部材を取り付けるために組立工数が増加してしまう。
【０００６】
本発明の目的は、一対のケース体における防塵性を向上させることができる光学装置を提供することである。
【課題を解決するための手段】
【０００７】
請求項１に係る発明は、上記課題を解決するために、光を反射または透過する光学部品と、該光学部品を収容する一対のケース体と、を備えた光学装置であって、前記一対のケース体は、前記光学部品の角度または位置を調節するための調節操作部が設けられた第一ケース体と、該調節操作部を外部に露出させる開口部が形成された第二ケース体と、で構成され、前記第一ケース体には、前記調節操作部の周囲において突出した突起部が形成され、前記第二ケース体には、前記突起部に嵌合可能な溝部が形成され、前記突起部が前記溝部と嵌合することによって、前記調節操作部が外部に露出した状態で前記開口部が閉塞されることを特徴とする光学装置である。
【発明の効果】
【０００８】
本発明の光学装置によれば、突起部が溝部に挿入されることによって開口部が閉塞されることで、一対のケース体における防塵性を向上させることができる。
【図面の簡単な説明】
【０００９】
【図１】本発明の実施形態に係る画像形成装置の概略を示す断面図である。
【図２】前記画像形成装置の光走査装置を示す斜視図である。
【図３】前記光走査装置のハウジングを示す分解斜視図である。
【図４】前記光走査装置のＩＶ−ＩＶ断面図である。
【図５】前記光走査装置のＶ−Ｖ断面図である。
【図６】前記光走査装置のＶＩ−ＶＩ断面図である。
【図７】前記ハウジングと蓋部とが組み付けられた前記光走査装置を示す断面図である。
【図８】変形例に係る光走査装置の要部を示す斜視図である。
【図９】前記光走査装置の調節操作部とその周辺とを示す正面図である。
【発明を実施するための形態】
【００１０】
以下、本発明の実施形態を図面に基づいて説明する。本実施形態の画像形成装置１０は、図１に示すように、作像ユニット１と、光学装置としての光走査装置２と、定着装置３と、給紙トレイ４と、排紙トレイ５と、を備えたモノクロのプリンタである。
【００１１】
作像ユニット１は、感光体としての感光体ドラム１１と、その周囲に設けられた帯電装置１２と、現像装置１３と、転写装置１４と、クリーニング装置１５と、を備える。これらの各装置はプロセスカートリッジに収容され、このプロセスカートリッジが画像形成装置１０の装置本体２０に着脱可能に構成されている。
【００１２】
このような画像形成装置１０では、光走査装置２が感光体ドラム１１に対して光ビームを照射して静電潜像を形成し、この静電潜像が現像装置１３から供給される現像剤によってトナー像となる。このトナー像が、転写装置１４によって、給紙トレイ４から供給された記録用紙に転写され、定着装置３が熱と圧力とによってトナー像を記録用紙に定着させ、この記録用紙が排紙トレイ５に排出されるようになっている。
【００１３】
以下、光走査装置２の詳細について、図２〜７に基づいて説明する。
【００１４】
光走査装置２は、図２、３に示すように、第一ケース体としてのハウジング２１と、第二ケース体としての蓋部２２と、光源部２３と、ビーム成形部２４と、ポリゴンスキャナ２５と、ｆθレンズ２６と、光学部品としての２つのミラー２７と、を備える。ハウジング２１と蓋部２２とが一対のケース体を構成し、ポリゴンスキャナ２５が偏向装置として機能する。
【００１５】
光源部２３は例えば半導体レーザを有してビームを照射するものである。光源部２３から照射されたビームは、コリメートレンズ、アパーチャ、及び、シリンドリカルレンズを備えたビーム成形部２４によって成形される。このビームは、ポリゴンスキャナ２５の側面の反射ミラーによって偏向及び走査され、ｆθレンズ２６が等角度運動を等速直線運動に変更する。
【００１６】
このようなビームは、ミラー２７によって反射されることによって所望の光路長を有するとともに、一点鎖線で示す経路に沿って進行し、蓋部２２に設けられた防塵ガラスを通過して感光体ドラム１１に照射される。
【００１７】
ハウジング２１は、例えば樹脂によって上面が開口した箱状に形成され、外側面に光源部２３を取り付け可能に構成されるとともに、ビーム成形部２４と、ポリゴンスキャナ２５と、ｆθレンズ２６と、２つのミラー２７と、を載置可能に構成されている。ハウジング２１は、図２における上下方向を蓋部２２との対向方向とし、蓋部２２と対向方向に相対接近することで組み付けられるようになっている。
【００１８】
また、ハウジング２１は、一方のミラー２７を両端の支持部２１１Ａ、２１１Ｂで支持するとともに、支持部２１１Ａの近傍において上面から立設された立設壁２１２と、ミラー２７の角度を変更するための調節操作部２１３と、凹部２１４と、を有する。ハウジング２１の外側面には、蓋部２２を係止するための係止部２１５が形成されている。
【００１９】
立設壁２１２は、図４〜７にも示すように、全体が板状に形成され、中央部に調節操作部２１３を取り付けるためのネジ孔２１２Ａが形成されるとともに、その外周において突出した突起部としてのリブ２１６を有する。立設壁２１２は、後述する開口部２２２を閉塞可能な寸法を有している。
【００２０】
リブ２１６は、図５に示すように、幅方向（対向方向と交差する方向）の両側に形成された側部リブ２１６Ａと、上部に形成された上部リブ２１６Ｂと、側部リブ２１６Ａと上部リブ２１６Ｂとの間に形成された角部リブ２１６Ｃと、を有する。角部リブ２１６Ｃは、幅方向の両端縁に設けられるとともに円弧状に形成され、対向方向に対して傾斜した傾斜部として機能する。
【００２１】
調節操作部２１３は、ネジ孔２１２Ａに挿通されるネジ部材であって、螺入されることによって先端でミラー２７を押圧し、ミラー２７の角度を変更するように構成されている。調節操作部２１３は、例えばドライバーによって回転操作可能な溝が形成された操作面２１３Ａを有する。
【００２２】
凹部２１４は、立設壁２１２の近傍（即ち、後述する開口部２２２の近傍）において、ハウジングの上面が凹状となることで形成され、図６に示すように、後述する凸部２２４の形状に沿って幅方向の角部が円弧状に形成されている。
【００２３】
蓋部２２は、ハウジング２１の上面を覆うことで図７に示すような収容空間Ｓ１を形成する。この収容空間Ｓ１には、ビーム成形部２４と、ポリゴンスキャナ２５と、ｆθレンズ２６と、ミラー２７と、が収容される。また、蓋部２２は、ハウジング２１の係止部２１５に係止される被係止部２２１を有する。
【００２４】
蓋部２２は、ハウジング２１に組み付けられた際に調節操作部２１３の操作面２１３Ａを露出させる切欠き形状の開口部２２２と、リブ２１６と嵌合可能な溝部２２３と、ハウジング２１の凹部２１４に対応して設けられた凸部２２４と、を有する。
【００２５】
開口部２２２は、ハウジング２１と蓋部２２とが組み付けられた際に、調節操作部２１３が外部に露出した状態で立設壁２１２によって全体が閉塞され、外部と収容空間Ｓ１とが連通しないようになっている。
【００２６】
溝部２２３は、リブ２１６の側部リブ２１６Ａと嵌合するガイド溝２２３Ａと、リブ２１６の上部リブ２１６Ｂが嵌合する凹溝２２３Ｂと、を備える。溝部２２３におけるガイド溝２２３Ａと凹溝２２３Ｂとの間の部分は、リブ２１６の角部リブ２１６Ｃに沿って円弧状に形成されている。
【００２７】
ガイド溝２２３Ａは、図４に示すように、蓋部２２に形成されるとともに立設壁２１２の板厚方向に対向した一対の壁部２２５の間に形成されている。即ち、図５の紙面手前側の壁部２２５と、その奥側の壁部とによって側部リブ２１６Ａが挟み込まれ、ガイド溝２２３Ａを側部リブ２１６Ａが通過するように構成されている。また、凹溝２２３Ｂは、上部リブ２１６Ｂの上面と当接可能な深さを有している。
【００２８】
凸部２２４は、ハウジング２１と蓋部２２とが組み付けられた際に凹部２１４に進入して凹部２１４の底面に当接可能な突出寸法を有する。また、凸部２２４は、図６に示すように、幅方向の両端縁における角部２２４Ａが円弧状に形成され、これらの角部２２４Ａが対向方向に対して傾斜した傾斜部として機能する。尚、凸部２２４は、凹部２１４の内面のうち少なくとも一面に当接すればよい。
【００２９】
次に、ハウジング２１に蓋部２２を組み付ける方法について説明する。ハウジング２１と蓋部２２とを対向方向に相対接近させていくと、リブ２１６の側部リブ２１６Ａが溝部２２３のガイド溝２２３Ａに案内されるとともに、凸部２２４が凹部２１４に進入していく。
【００３０】
このとき、ハウジング２１と蓋部２２との間に幅方向のずれが生じている場合、リブ２１６の角部リブ２１６Ｃが蓋部２２における溝部２２３の周辺部分に当接したり、凸部２２４の角部２２４Ａがハウジング２１における凹部２１４の周辺部位に当接したりする。それにより、ハウジング２１と蓋部２２とは、相対接近する際に、角部リブ２１６Ｃや角部２２４Ａによって幅方向におけるずれが修正される。
【００３１】
上部リブ２１６Ｂが凹溝２２３Ｂと嵌合し、凸部２２４が凹部２１４に進入すると、係止部２１５によって被係止部２２１が係止され、図７に示すようにハウジング２１に蓋部２２が組み付けられる。
【００３２】
このとき、側部リブ２１６Ａは板厚方向の両側面において蓋部２２に挟み込まれるとともに当接し、上部リブ２１６Ｂは板厚方向の両側面及び上面が凹溝２２３Ｂに当接する。さらに、凸部２２４の下面が凹部２１４の底面に当接する。
【００３３】
このような本実施形態によれば、以下のような効果がある。即ち、開口部２２２が立設壁２１２によって閉塞され、溝部２２３とリブ２１６とが嵌合することで、開口部２２２の周囲と立設壁２１２との間において埃等が通過するための経路が長くなり、防塵性を向上させることができる。
【００３４】
さらに、開口部２２２の近傍において、凹部２１４の底面に凸部２２４の下面が当接することで、この当接部分を埃等が通過するための経路が長くなり、防塵性をさらに向上させることができる。
【００３５】
また、リブ２１６の幅方向の両端縁に円弧状の角部リブ２１６Ｃが形成され、凸部２２４の幅方向の両端縁の角部２２４Ａが円弧状に形成されることで、ハウジング２１と蓋部２２との幅方向における位置ずれを修正することができる。
【００３６】
なお、本発明は、前記実施形態に限定されるものではなく、本発明の目的が達成できる他の構成等を含み、以下に示すような変形等も本発明に含まれる。
【００３７】
例えば、前記実施形態では、蓋部２２が調節操作部２１３を露出させる開口部２２２を有するものとしたが、蓋部２２は、図８に示すように、開口部２２２に隣接面部２２６をさらに有していてもよい。隣接面部２２６は、図９にも示すように、操作面２１３Ａと隣接する位置において、その表面が調節操作部２１３の操作面２１３Ａに沿って延びている。
【００３８】
このような隣接面部２２６が設けられれば、例えば図９（Ａ）に示す位置を調節操作部２１３の初期位置としてマーキングＭを形成することにより、図９（Ｂ）に示すように調節操作部２１３を回転操作した際に、この位置を初期位置と比較することができる。尚、隣接面部は、ハウジングに設けられていてもよい。
【００３９】
また、前記実施形態では、調節操作部２１３によって光学部品としてのミラー２７の角度を調節するものとしたが、光学部品は光を透過するレンズであってもよいし、調節操作部によって光学部品の位置が調節される構成であってもよい。
【００４０】
また、前記実施形態では、リブ２１６の幅方向の両端縁に円弧状の角部リブ２１６Ｃが形成されるとともに、凸部２２４の幅方向の両端縁の角部２２４Ａが円弧状に形成され、これらが傾斜部として機能するものとしたが、傾斜部の形状は任意である。即ち、傾斜部は対向方向に傾斜していればよく、その端面が平面状であってもよい。
【００４１】
また、リブ２１６と凸部２２４とのうちいずれか一方に傾斜部が形成されていてもよいし、ハウジング２１と蓋部２２とに位置ずれが生じにくい場合には傾斜部は省略されてもよい。
【００４２】
また、前記実施形態では、ハウジング２１が凹部２１４を有するとともに蓋部２２が凸部２２４を有するものとしたが、ハウジング２１が凸部を有するとともに蓋部２２が凹部を有していてもよい。また、リブ２１６と溝部２２３とによって開口部２２２における防塵性が充分に向上する場合、凹部及び凸部は省略されてもよい。
【００４３】
また、前記実施形態では、光学装置として画像形成装置１０に設けられる光走査装置２を例示したが、光学装置は光走査装置に限定されずミラーやレンズ等の光学部品を収容するものであればよい。
【００４４】
その他、本発明を実施するための最良の構成、方法などは、以上の記載で開示されているが、本発明は、これに限定されるものではない。すなわち、本発明は、主に特定の実施形態に関して特に図示され、且つ、説明されているが、本発明の技術的思想および目的の範囲から逸脱することなく、以上述べた実施形態に対し、当業者が様々な変形を加えることができるものである。
【００４５】
従って、上記に開示した形状、材質などを限定した記載は、本発明の理解を容易にするために例示的に記載したものであり、本発明を限定するものではない。それらの形状、材質などの限定の一部、もしくは全部の限定を外した部材の名称での記載は、本発明に含まれるものである。
【符号の説明】
【００４６】
１０        画像形成装置
１１        感光体ドラム（感光体）
２          光走査装置（光学装置）
２１        ハウジング（第一ケース体）
２２        蓋部（第二ケース体）
２３        光源部
２４        ビーム成形部
２５        ポリゴンスキャナ（偏向装置）
２７        ミラー（光学部品）
２１３      調節操作部
２１３Ａ    操作面
２１４      凹部
２１６      リブ（突起部）
２１６Ｃ    角部リブ（傾斜部）
２２２      開口部
２２３      溝部
２２４      凸部
２２４Ａ    角部（傾斜部）
２２６      隣接面部
【先行技術文献】
【特許文献】
【００４７】
【特許文献１】特開２０１４−７１２２３号公報
【図１】
2016090666.tif 000003
【図２】
2016090666.tif 000004
【図３】
2016090666.tif 000005
【図４】
2016090666.tif 000006
【図５】
2016090666.tif 000007
【図６】
2016090666.tif 000008
【図７】
2016090666.tif 000009
【図８】
2016090666.tif 000010
【図９】
2016090666.tif 000011